【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
少なくとも１種の導電性ポリマーと、
少なくとも１種の有機溶剤でぬらすことができるフッ素化酸ポリマーと
を含むことを特徴とするポリマー組成物。
【請求項２】
少なくとも１種の導電性ポリマーと少なくとも１種の有機溶剤でぬらすことができるフッ素化酸ポリマーとを含むポリマー組成物の水性分散体を形成する方法であって、
前記方法は、水、少なくとも１種の前駆体モノマー、少なくとも１種の有機溶剤でぬらすことができるフッ素化酸ポリマー、および酸化剤を任意の順番で組み合わせることにより反応混合物を形成するステップを含み、ただし、前駆体モノマーおよび酸化剤のうちの少なくとも１つが添加されるとき、フッ素化スルホン酸ポリマーの少なくとも一部が存在することを特徴とする方法。
【請求項３】
少なくとも１種の導電性ポリマーと少なくとも１種の有機溶剤でぬらすことができるフッ素化酸ポリマーとを含むポリマー組成物の水性分散体であって、前記組成物が１．５〜５のｐＨを有することを特徴とする水性分散体。
【請求項４】
少なくとも１種の導電性ポリマーと少なくとも１種の有機溶剤でぬらすことができるフッ素化酸ポリマーとを含むポリマー組成物を含む少なくとも１つの緩衝層を含むことを特徴とする電子素子。
【手続補正２】
【補正対象書類名】明細書
【補正対象項目名】０２０８
【補正方法】変更
【補正の内容】
【０２０８】
明確さのために、個別の実施形態コンテクスト中に、以上および以下に記載した本発明の一定の特色はまた、単一の実施形態中に組み合わせて提供され得ることは認識されるべきである。反対に、簡潔さのために、単一の実施形態のコンテクスト中に記載された本発明の種々の特色はまた、個別にまたはいずれかのサブコンビネーションで提供され得る。さらに、範囲で規定された値に対する言及は、その範囲内の各およびすべての値を含む。本発明は以下の実施の態様を含むものである。
１．少なくとも１種の導電性ポリマーと、
少なくとも１種の有機溶剤でぬらすことができるフッ素化酸ポリマーと
を含むことを特徴とするポリマー組成物。
２．導電性ポリマーが、ポリチオフェン、ポリピロール、ポリアニリン、高分子縮合多環式ヘテロ芳香族、これらのコポリマー、およびこれらの組み合わせから選択されることを特徴とする前記１．に記載の組成物。
３．ポリチオフェンが式Ｉ
【化１９】
2008546899.tif 000001
（式中、
Ｒ1は、独立に、各存在で同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；または両方のＲ1基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよく、および
ｎは少なくとも約４である）
を有することを特徴とする前記２．に記載の組成物。
４．  ポリチオフェンが式Ｉ（ａ）
【化２０】
2008546899.tif 000002
（式中、
Ｒ7は、各存在で同一または異なると共に、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、エステルスルホネート、およびウレタンから選択され、ただし、少なくとも１つのＲ7は水素ではなく、
ｍは２または３であり、および
ｎは少なくとも約４である）
を有することを特徴とする前記２．に記載の組成物。
５．ポリピロールが式ＩＩ
【化２１】
2008546899.tif 000003
（式ＩＩ中、
ｎは少なくとも約４であり；
Ｒ1は、独立に、各存在で同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、アミドスルホネート、エーテルカルボキシレート、エーテルスルホネート、エステルスルホネート、およびウレタンから選択され；または両方のＲ1基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよく；および
Ｒ2は、独立に、各存在で同一または異なるよう選択されると共に、水素、アルキル、アルケニル、アリール、アルカノイル、アルキルチオアルキル、アルキルアリール、アリールアルキル、アミノ、エポキシ、シラン、シロキサン、アルコール、ベンジル、カルボキシレート、エーテル、エーテルカルボキシレート、エーテルスルホネート、エステルスルホネート、およびウレタンから選択される）
を有することを特徴とする前記２．に記載の組成物。
６．ポリアニリンが、式ＩＩＩ、式ＩＶ、およびこれらの組み合わせ
【化２２】
2008546899.tif 000004
（式中、
ｎは少なくとも約４であり；
ｐは０〜４の整数であり；
ｍは１〜５の整数であり、ただし、ｐ＋ｍ＝５であり；および
Ｒ3は、独立に、各存在で同一または異なるよう選択されると共に、アルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、または１つまたは複数のスルホン酸、カルボン酸、ハロ、ニトロ、シアノまたはエポキシ部分で置換されたアルキルから選択され；またはいずれか２つのＲ3基は一緒になって、任意選択的に１つまたは複数の二価の窒素、硫黄または酸素原子を含んでもよい３、４、５、６または７員芳香族または脂環式環を完成させるアルキレンまたはアルケニレン鎖を形成してもよい）
から選択される式を有することを特徴とする前記２．に記載の組成物。
７．高分子縮合多環式ヘテロ芳香族が式Ｖ
【化２３】
2008546899.tif 000005
（式中、
ＱはＳまたはＮＨであり；
Ｒ8、Ｒ9、Ｒ10、およびＲ11は、独立に、各存在で同一または異なるよう選択されると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択され；および
Ｒ8およびＲ9、Ｒ9およびＲ10、ならびにＲ10およびＲ11の少なくとも１つは一緒になって、任意選択的に１つまたは複数の二価の窒素、硫黄または酸素原子を含んでもよい５または６員芳香族環を完成させるアルケニレン鎖を形成する）
を有するモノマーから誘導されることを特徴とする前記２．に記載の組成物。
８．導電性ポリマーが式ＶＩ
【化２４】
2008546899.tif 000006
（式中、
ＱはＳまたはＮＲ6であり；
Ｔは、Ｓ、ＮＲ6、Ｏ、ＳｉＲ62、Ｓｅ、およびＰＲ6から選択され；
Ｚは、アルケニレン、アリーレン、およびヘテロアリーレンから選択され；
Ｒ6は水素またはアルキルであり；
Ｒ12は、各存在で同一または異なると共に、水素、アルキル、アルケニル、アルコキシ、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、アクリル酸、リン酸、ホスホン酸、ハロゲン、ニトロ、ニトリル、シアノ、ヒドロキシル、エポキシ、シラン、シロキサン、アルコール、ベンジル、カルボキシレート、エーテル、エーテルカルボキシレート、アミドスルホネート、エーテルスルホネート、エステルスルホネート、およびウレタンから選択される）
を有する前駆体モノマーから誘導されることを特徴とする前記１．に記載の組成物。
９．導電性ポリマーが、ポリ（３，４−エチレンジオキシチオフェン）、非置換ポリピロール、非置換ポリアニリン、ポリ（チエノ（２，３−ｂ）チオフェン）、ポリ（チエノ（３，２−ｂ）チオフェン）、およびポリ（チエノ（３，４−ｂ）チオフェン）から選択されることを特徴とする前記１．に記載の組成物。
１０．有機溶剤でぬらすことができるフッ素化酸ポリマーが、カルボン酸基、スルホン酸基、スルホンイミド基、リン酸基、ホスホン酸基、およびこれらの組み合わせから選択される酸性基を含むことを特徴とする前記１．に記載の組成物。
１１．有機溶剤でぬらすことができるフッ素化酸ポリマーが、ポリオレフィン、ポリアクリレート、ポリメタクリレート、ポリイミド、ポリアミド、ポリアラミド、ポリアクリルアミド、およびこれらのコポリマーから選択される主鎖を含むことを特徴とする前記１．に記載の組成物。
１２．有機物でぬらすことができるフッ素化酸ポリマーが、アルキル基、アルコキシ基、アミド基、エーテル基、およびこれらの組み合わせから選択されるフッ素化側鎖を含むことを特徴とする前記１．に記載の組成物。
１３．有機溶剤でぬらすことができるフッ素化酸ポリマーが、フッ素化エーテルスルホネート基およびフッ素化エーテルスルホンイミド基から選択されるフッ素化オレフィン主鎖および側基を含むことを特徴とする前記１．に記載の組成物。
１４．有機溶剤でぬらすことができるフッ素化酸ポリマーが、
１，１−ジフルオロエチレンおよび２−（２，２−ジフルオロ−２−（トリフルオロメチル）アリルオキシ）−１，１，２，２−テトラフルオロエタンスルホン酸のコポリマー；エチレンおよび２−（２−（１，２，２−トリフルオロビニルオキシ）−１，１，２，３，３，３−ヘキサフルオロプロポキシ）−１，１，２，２−テトラフルオロエタンスルホン酸のコポリマー；およびこれらの組み合わせから選択されることを特徴とする前記１．に記載の組成物。
１５．有機溶剤でぬらすことができるフッ素化酸ポリマーが、フッ素化および部分スルホン化アリーレンエーテルスルホンを含むことを特徴とする前記１．に記載の組成物。
１６．有機溶剤でぬらすことができるフッ素化酸ポリマーが式ＶＩＩ
【化２５】
2008546899.tif 000007
（式中、
ｑは１〜５の整数であり、
Ｒ13はＯＨまたはＮＨＲ14であり、および
Ｒ14は、アルキル、フルオロアルキル、スルホニルアルキル、またはスルホニルフルオロアルキルである）；
および式ＶＩＩＩ
【化２６】
2008546899.tif 000008
（式中、
Ｗは、（ＣＦ2）q、Ｏ（ＣＦ2）q、Ｓ（ＣＦ2）q、（ＣＦ2）qＯ（ＣＦ2）rから選択され、
ｑおよびｒは、独立に１〜５の整数であり、
Ｒ13はＯＨまたはＮＨＲ14であり、および
Ｒ14は、アルキル、フルオロアルキル、スルホニルアルキル、またはスルホニルフルオロアルキルである）
を有する少なくとも１種のモノマーから誘導されることを特徴とする前記１．に記載の組成物。
１７．有機溶剤でぬらすことのできるフッ素化酸ポリマーが式ＩＸ
【化２７】
2008546899.tif 000009
（式中、
Ｒfは、フッ素化アルキレン、フッ素化ヘテロアルキレン、フッ素化アリーレン、およびフッ素化ヘテロアリーレンから選択され；および
ｎは少なくとも２０である）
を有する少なくとも１種のモノマーから誘導されることを特徴とする前記１．に記載の組成物。
１８．有機物でぬらすことができるフッ素化酸ポリマーが式Ｘ
【化２８】
2008546899.tif 000010
（式中、
Ｒ15は、フッ素化アルキレン基またはフッ素化ヘテロアルキレン基であり；
Ｒ16は、フッ素化アルキルまたはフッ素化アリール基であり；および
ｐは、０または１〜４の整数である）
を有する側鎖を含むフッ素化ポリマー主鎖を含むことを特徴とする前記１．に記載の組成物。
１９．有機溶剤でぬらすことができるフッ素化酸ポリマーが式ＸＩ
【化２９】
2008546899.tif 000011
（式中、
Ｒ16は、フッ素化アルキルまたはフッ素化アリール基であり；
ａ、ｂ、ｃ、ｄおよびｅは、それぞれ独立に０または１〜３の整数であり；および
ｎは少なくとも４である）
を有する少なくとも１種のモノマーから誘導されることを特徴とする前記１．に記載の組成物。
２０．有機溶剤でぬらすことができるフッ素化酸ポリマーが、接触角４０°以下でフェニルヘキサンによってぬらすことができるフィルムを形成することを特徴とする前記１．に記載の組成物。
２１．接触角が３５°以下であることを特徴とする前記２０．に記載の組成物。
２２．少なくとも１種の導電性ポリマーと少なくとも１種の有機溶剤でぬらすことができるフッ素化酸ポリマーとを含むポリマー組成物の水性分散体を形成する方法であって、
前記方法は、水、少なくとも１種の前駆体モノマー、少なくとも１種の有機溶剤でぬらすことができるフッ素化酸ポリマー、および酸化剤を任意の順番で組み合わせることにより反応混合物を形成するステップを含み、ただし、前駆体モノマーおよび酸化剤のうちの少なくとも１つが添加されるとき、フッ素化スルホン酸ポリマーの少なくとも一部が存在することを特徴とする方法。
２３．反応混合物が、少なくとも１種の共分散液をさらに含むことを特徴とする前記２２．に記載の方法。
２４．共分散液が、ｎ−プロパノール、イソプロパノール、ｔ−ブタノール、ジメチルアセトアミド、ジメチルホルムアミド、Ｎ−メチルピロリドン、およびこれらの混合物から選択される有機溶剤であることを特徴とする前記２８．に記載の方法。
２５．反応混合物が、共酸をさらに含むことを特徴とする前記２２．に記載の方法。
２６．水性分散体を少なくとも１種のイオン交換樹脂と接触させるステップをさらに含むことを特徴とする前記２２．に記載の方法。
２７．少なくとも１種の導電性ポリマーと少なくとも１種の有機溶剤でぬらすことができるフッ素化酸ポリマーとを含むポリマー組成物の水性分散体であって、前記組成物が１．５〜５のｐＨを有することを特徴とする水性分散体。
２８．ｐＨが３〜４であることを特徴とする前記２７．に記載の分散体。
２９．少なくとも１種の導電性ポリマーと少なくとも１種の有機溶剤でぬらすことができるフッ素化酸ポリマーとを含むポリマー組成物を含む少なくとも１つの緩衝層を含むことを特徴とする電子素子。
３０．導電性ポリマーが、ポリチオフェン、ポリピロール、ポリアニリン、高分子縮合多環式ヘテロ芳香族、これらのコポリマー、およびこれらの組み合わせから選択されることを特徴とする前記２９．に記載の素子。
３１．導電性ポリマーが、ポリ（３，４−エチレンジオキシチオフェン）、非置換ポリピロール、非置換ポリアニリン、ポリ（チエノ（２，３−ｂ）チオフェン）、ポリ（チエノ（３，２−ｂ）チオフェン）、およびポリ（チエノ（３，４−ｂ）チオフェン）から選択されることを特徴とする前記２９．に記載の素子。
３２．有機溶剤でぬらすことができるフッ素化酸ポリマーが、カルボン酸基、スルホン酸基、スルホンイミド基、リン酸基、ホスホン酸基、およびこれらの組み合わせから選択される酸性基を含むことを特徴とする前記２９．に記載の素子。
３３．有機溶剤でぬらすことができるフッ素化スルホン酸ポリマーが、ポリオレフィン、ポリアクリレート、ポリメタクリレート、ポリイミド、ポリアミド、ポリアラミド、ポリアクリルアミド、およびこれらのコポリマーから選択される主鎖を含むことを特徴とする前記２９．に記載の素子。
３４．有機溶剤でぬらすことができるフッ素化スルホン酸ポリマーが、フッ素化オレフィン主鎖および側鎖フッ素化エーテルスルホネート基を含むことを特徴とする前記２９．に記載の素子。
３５．  有機溶剤でぬらすことができるフッ素化スルホン酸ポリマーが、
１，１−ジフルオロエチレンおよび２−（２，２−ジフルオロ−２−（トリフルオロメチル）アリルオキシ）−１，１，２，２−テトラフルオロエタンスルホン酸のコポリマー；エチレンおよび２−（２−（１，２，２−トリフルオロビニルオキシ）−１，１，２，３，３，３−ヘキサフルオロプロポキシ）−１，１，２，２−テトラフルオロエタンスルホン酸のコポリマー；およびこれらの組み合わせから選択されることを特徴とする前記２９．に記載の素子。
３６．有機溶剤でぬらすことができるフッ素化酸ポリマーが、フッ素化および部分スルホン化アリーレンエーテルスルホンを含むことを特徴とする前記２９．に記載の素子。
３７．有機溶剤でぬらすことができるフッ素化酸ポリマーが式ＶＩＩ
【化３０】
2008546899.tif 000012
（式中、
ｑは１〜５の整数であり、
Ｒ13はＯＨまたはＮＨＲ14であり、および
Ｒ14は、アルキル、フルオロアルキル、スルホニルアルキル、またはスルホニルフルオロアルキルである）
および式ＶＩＩＩ
【化３１】
2008546899.tif 000013
（式中、
Ｗは、（ＣＦ2）q、Ｏ（ＣＦ2）q、Ｓ（ＣＦ2）q、（ＣＦ2）qＯ（ＣＦ2）rから選択され、
ｑおよびｒは、独立に１〜５の整数であり、
Ｒ13はＯＨまたはＮＨＲ14であり、および
Ｒ14は、アルキル、フルオロアルキル、スルホニルアルキル、またはスルホニルフルオロアルキルである）
から選択される式を有する少なくとも１種のモノマーから誘導されることを特徴とする前記２９．に記載の素子。
３８．有機溶剤でぬらすことができるフッ素化酸ポリマーが式ＩＸ
【化３２】
2008546899.tif 000014
（式中、
Ｒfは、フッ素化アルキレン、フッ素化ヘテロアルキレン、フッ素化アリーレン、およびフッ素化ヘテロアリーレンから選択され；および
ｎは少なくとも４である）
を有する少なくとも１種のモノマーから誘導されることを特徴とする前記２９。に記載の素子。
３９．有機溶剤でぬらすことができるフッ素化酸ポリマーが式Ｘ
【化３３】
2008546899.tif 000015
（式中、
Ｒ15は、フッ素化アルキレン基またはフッ素化ヘテロアルキレン基であり；
Ｒ16は、フッ素化アルキルまたはフッ素化アリール基であり；および
ｐは、０または１〜４の整数である）
を有する側鎖を含むフッ素化ポリマー主鎖を含むことを特徴とする前記２９．に記載の素子。
４０．有機溶剤でぬらすことができるフッ素化酸ポリマーが式ＸＩ
【化３４】
2008546899.tif 000016
（式中、
Ｒ16は、フッ素化アルキルまたはフッ素化アリール基であり；
ａ、ｂ、ｃ、ｄおよびｅは、それぞれ独立に０または１〜３の整数であり；およびｎは少なくとも４である）
を有する少なくとも１種のモノマーから誘導されることを特徴とする前記２９．に記載の素子。